(57)【要約】【課題】比較的小さなタッチスクリーン上で使用するソフトウェアキーボードに関して、ユーザの違和感と入力生産性の悪化を低減することができる電子機器を提供すること。【解決手段】ソフトウェアキーボード表示領域Ｅ２に表示された標準キーボード配列をソフトウェアキーボード表示領域Ｅ２全体に表示し、キーピッチ切替指示にかかわらず、少なくとも標準キーボード配列のうちの最上段キー群Ｋ１０及び最下段キー群Ｋ１２のキーピッチをそのままとし、キーピッチ切替指示によって、最上段キー群Ｋ１０及び最下段キー群Ｋ１２以外の中段部分キー群Ｋ１１のキーピッチを伸縮させる。【選択図】図２
2018106470.tif 000002
【特許請求の範囲】
【請求項１】
タッチスクリーン上にソフトウェアキーボードが配置可能な電子機器であって、
ソフトウェアキーボード表示領域に表示された標準キーボード配列を前記ソフトウェアキーボード表示領域全体に表示し、キーピッチ切替指示にかかわらず、少なくとも前記標準キーボード配列のうちの最上段キー群及び最下段キー群のキーピッチをそのままとし、前記キーピッチ切替指示によって、前記最上段キー群及び前記最下段キー群以外の中段部分キー群のキーピッチを伸縮させるキーボード表示制御部を備えたことを特徴とする電子機器。
【請求項２】
前記キーボード表示制御部は、前記キーピッチの伸長時に前記標準キーボード配列のうちのアルファベットキー群、数字キー群、エンターキー、バックスペースキー、デリートキー、シフトキーを含む使用頻度の高いキーの表示を維持し、前記中段部分キー群のうちの使用頻度の低い一部のキー群を非表示とすることを特徴とする請求項１に記載の電子機器。
【請求項３】
前記キーボード表示制御部は、前記キーピッチの伸長時に非表示となったキー群をポップアップ表示させるポップアップ表示切替キーを新たに表示し、前記ポップアップ表示切替キーが選択指示された場合、前記ポップアップ表示されるキー群は前記標準キーボード配列の相対位置関係を維持した状態で表示されることを特徴とする請求項２に記載の電子機器。
【請求項４】
前記キーボード表示制御部は、前記キーピッチの伸縮を行う際、前記標準キーボード配列のタイピングホームポジション中央を基準として行うことを特徴とする請求項１〜３のいずれか一つに記載の電子機器。
【請求項５】
前記キーボード表示制御部は、前記キーピッチの伸縮に応じて、前記標準キーボード配列のシフトキーの幅を伸縮させることを特徴とする請求項１〜４のいずれか一つに記載の電子機器。
【請求項６】
前記キーボード表示制御部は、前記キーピッチ切替指示によって、前記標準キーボード配列と、前記標準キーボード配列のキーピッチを伸長した所定キーピッチの伸長キーボード配列とに切り替えることを特徴とする請求項１〜５のいずれか一つに記載の電子機器。
【請求項７】
前記キーボード表示制御部は、前記キーピッチ切替指示によって、前記標準キーボード配列と、前記標準キーボード配列のキーピッチを伸長した所定キーピッチの伸長キーボード配列との間でキーピッチを連続的または離散的に切り替えることを特徴とする請求項１〜５のいずれか一つに記載の電子機器。
【請求項８】
前記キーピッチ切替指示は、２つのシフトキーの同時押下を含む特定キー操作であることを特徴とする請求項１〜７のいずれか一つに記載の電子機器。
【請求項９】
前記キーピッチ切替指示は、特定キーに対する入力、またはソフトウェアキー平面上のジェスチャー入力であることを特徴とする請求項１〜７のいずれか一つに記載の電子機器。
【請求項１０】
前記キーピッチ切替指示は、音声入力によって行われることを特徴とする請求項１〜７のいずれか一つに記載の電子機器。
【請求項１１】
前記キーピッチ切替指示は、検出されるキーの打鍵速度であり、前記打鍵速度の増大、減少に応じてキーピッチを縮小、増大させることを特徴とする請求項１〜７のいずれか一つに記載の電子機器。
【発明の詳細な説明】
【技術分野】
【０００１】
本発明は、小型機器にソフトウェアキーボードを用いた場合の、ユーザの違和感と入力生産性の低下を少なくすることができる電子機器に関する。
【背景技術】
【０００２】
従来から、タブレットやノートＰＣのタッチスクリーン上には、文字・記号などの入力手段として、ソフトウェアキーボードの配置が可能である。ソフトウェアキーボードは、物理キーボードに比べて、各種のキーボード配列を表示することができ、かつ、物理キーを必要としない平面形状であるため電子機器の小型化が容易である。また、ソフトウェアキーボードでは、キー入力時の打鍵音が発生しないため、キー入力時の静粛性を維持できるという利点などがある。例えば、特許文献１には、仮想キーボードを表示できるものが記載されている。この特許文献１には、仮想キーの配置をユーザの要求に応じて変更、削除して配置できるものが記載されている。
【先行技術文献】
【特許文献】
【０００３】
【特許文献１】特開２００６−５３６７８号公報
【発明の概要】
【発明が解決しようとする課題】
【０００４】
ところで、快適なタイピングには、キーボードに一定以上のキーピッチが必要であることが知られている。タブレットなどの比較的小画面のタッチスクリーン上でソフトウェアキーボードを使用する場合、快適なタイピングに必要なキーピッチを確保すると、表示可能なキー数が標準キーボード配列に対して少なくなる場合が生じる。足りなくなったキーを表示するため、従来のソフトウェアキーボードでは、英字、数字、記号などの複数の異なるキーボード配列を予め準備しておき、ユーザに配列の切り替えを行わせていた。
【０００５】
しかし、この複数のキーボード配列を切り替える方式では、複数のキーボード配列ごとに、ユーザが慣れ親しんだ従来の物理キーボードとは異なるキー配列が表示され、ユーザが違和感を得やすい。また、キー入力時に必要なキーを見つけ出すのに時間がかかり、結果としてキー入力操作性の悪化とユーザ負担の増大を招いている。すなわち、異なるキーボード配列を切り替える従来の方式では、ユーザの違和感が大きく、かつ、入力生産性の低下が大きい。
【０００６】
本発明は、上記に鑑みてなされたものであって、比較的小さなタッチスクリーン上で使用するソフトウェアキーボードに関して、ユーザの違和感と入力生産性の悪化を低減させることができる電子機器を提供することを目的とする。
【課題を解決するための手段】
【０００７】
上述した課題を解決し、目的を達成するために、本発明にかかる電子機器は、タッチスクリーン上にソフトウェアキーボードが配置可能な電子機器であって、ソフトウェアキーボード表示領域に表示された標準キーボード配列を前記ソフトウェアキーボード表示領域全体に表示し、キーピッチ切替指示にかかわらず、少なくとも前記標準キーボード配列のうちの最上段キー群及び最下段キー群のキーピッチをそのままとし、前記キーピッチ切替指示によって、前記最上段キー群及び前記最下段キー群以外の中段部分キー群のキーピッチを伸縮させるキーボード表示制御部を備えたことを特徴とする。
【０００８】
また、本発明にかかる電子機器は、上記の発明において、前記キーボード表示制御部は、前記キーピッチの伸長時に前記標準キーボード配列のうちのアルファベットキー群、数字キー群、エンターキー、バックスペースキー、デリートキー、シフトキーなど、頻繁に使われるキーの表示を維持し、前記中段部分キー群のうちの、あまり頻繁に使われない一部のキー群を非表示とすることを特徴とする。
【０００９】
また、本発明にかかる電子機器は、上記の発明において、前記キーボード表示制御部は、前記キーピッチの伸長時に非表示となったキー群をポップアップ表示させるポップアップ表示切替キーを新たに表示し、前記ポップアップ表示切替キーが選択指示された場合、前記ポップアップ表示されるキー群は前記標準キーボード配列の相対位置関係を維持した状態で表示されることを特徴とする。
【００１０】
また、本発明にかかる電子機器は、上記の発明において、前記キーボード表示制御部は、前記キーピッチの伸縮を行う際、前記標準キーボード配列のタイピングホームポジション中央を基準として行うことを特徴とする。
【００１１】
また、本発明にかかる電子機器は、上記の発明において、前記キーボード表示制御部は、前記キーピッチの伸縮に応じて、前記標準キーボード配列のシフトキーの幅を伸縮させることを特徴とする。
【００１２】
また、本発明にかかる電子機器は、上記の発明において、前記キーボード表示制御部は、前記キーピッチ切替指示によって、前記標準キーボード配列と、前記標準キーボード配列のキーピッチを伸長した所定キーピッチの伸長キーボード配列とに切り替えることを特徴とする。
【００１３】
また、本発明にかかる電子機器は、上記の発明において、前記キーボード表示制御部は、前記キーピッチ切替指示によって、前記標準キーボード配列と、前記標準キーボード配列のキーピッチを伸長した所定キーピッチの伸長キーボード配列との間でキーピッチを連続的または離散的に切り替えることを特徴とする。
【００１４】
また、本発明にかかる電子機器は、上記の発明において、前記キーピッチ切替指示は、２つのシフトキーの同時押下を含む特定キー操作であることを特徴とする。
【００１５】
また、本発明にかかる電子機器は、上記の発明において、前記キーピッチ切替指示は、特定キーに対する入力、またはソフトウェアキー平面上のジェスチャー入力であることを特徴とする。
【００１６】
また、本発明にかかる電子機器は、上記の発明において、前記キーピッチ切替指示は、音声入力によって行われることを特徴とする。
【００１７】
また、本発明にかかる電子機器は、上記の発明において、前記キーピッチ切替指示は、検出されるキーの打鍵速度であり、前記打鍵速度の増大、減少に応じてキーピッチを縮小、増大させることを特徴とする。
【発明の効果】
【００１８】
本発明によれば、キーピッチ切替指示にかかわらず、少なくとも標準キーボード配列のうちの最上段キー群及び最下段キー群のキーピッチをそのままとし、前記キーピッチ切替指示によって、前記最上段キー群及び前記最下段キー群以外の中段部分キー群のキーピッチを伸縮させるようにしているので、ソフトウェアキーボードを用いるユーザの違和感と入力生産性の悪化を低減することができる。
【図面の簡単な説明】
【００１９】
【図１】図１は、本実施の形態である電子機器１の制御系の構成を模式的に示した図である。
【図２】図２は、ソフトウェアキーボードの標準キーボード配列とキーピッチを伸長した伸長キーボード配列とを示す図である。
【図３】図３は、ソフトウェアキーボードの標準キーボード配列とキーピッチを伸長した伸長キーボード配列と伸長キーボード配列時のポップアップ表示を示す図である。
【図４】図４は、キーボード表示制御部によるキーボード表示制御処理手順を示すフローチャートである。
【図５】図５は、図１に示したソフトウェアキーボードが適用された電子機器の一例であるノートＰＣの全体構成を示す斜視図である。
【発明を実施するための形態】
【００２０】
以下、添付図面を参照してこの発明を実施するための形態について説明する。
【００２１】
（全体構成）
図１は、本実施の形態である電子機器１の制御系の構成を模式的に示した図である。図１に示した電子機器１は、例えばタブレットである。電子機器１は、タッチスクリーン１０、記憶部２２、外部入出力インターフェース２３が、制御部２０に接続される。タッチスクリーン１０は、入出力装置であり、電子機器１のほぼ前面全域を表示領域Ｅ１とする表示装置の前面にタッチパッドＴ１が形成されている。タッチスクリーン１０上には、例えば、タッチスクリーン１０の下部のソフトウェアキーボード表示領域Ｅ２にソフトウェアキーボード１１を表示することができる。また、タッチスクリーン１０上には、ソフトウェアキーボード１１の表示、非表示を指示するソフトウェアキーボード表示アイコンＩ１が表示される。
【００２２】
制御部２０は、記憶部２２に記憶されたプログラムあるいはデータを用い、タッチスクリーン１０あるいは外部入出力インターフェース２３を介した入力指示をもとに、タッチスクリーン１０あるいは外部入出力インターフェース２３を介した出力処理制御を行う。
【００２３】
制御部２０は、キーボード表示制御部２１を備える。キーボード表示制御部２１は、ソフトウェアキーボード表示領域Ｅ２に表示された標準キーボード配列をソフトウェアキーボード表示領域Ｅ２全体に表示し、キーピッチ切替指示にかかわらず、少なくとも標準キーボード配列のうちの最上段キー群及び最下段キー群のキーピッチをそのままとし、キーピッチ切替指示によって、最上段キー群及び最下段キー群以外の中段部分キー群のキーピッチを伸縮させる制御を行う。なお、キーボード表示制御部２１の表示制御内容については図２及び図３を用いて詳述する。また、キーピッチとは、キーボードで横方向（Ｘ方向）に隣接するキー相互の間隔のことである。
【００２４】
（標準キーボード配列）
図２（ａ）は、ソフトウェアキーボード表示領域Ｅ２に表示されるソフトウェアキーボード１１の標準キーボード配列の一例を示している。標準キーボード配列は、最上段キー群Ｋ１０、中段部分キー群Ｋ１１、最下段キー群Ｋ１２が配置される。
【００２５】
最上段キー群Ｋ１０には、１２個のファンクション（Ｆ１〜Ｆ１２）キーが中央に配置され、ファンクションキーの左側にエスケープ（Ｅｓｃ）キーが配置され、ファンクションキーの右側にデリート（Ｄｅｌｅｔｅ）キーが配置される。Ｆ１１キーはホーム（Ｈｏｍｅ）キーであり、Ｆ１２キーはエンド（Ｅｎｄ）キーである。
【００２６】
最下段キー群Ｋ１２には、スペースキーが中央に配置され、スペースキーから左側に向けて順次、オルト（Ａｌｔ）キー、ウインドウズキー、コントロール（Ｃｔｒｌ）キー、エフエヌ（Ｆｎ）キーが配置され、スペースキーから右側に向けて順次、オルト（Ａｌｔ）キー、コントロール（Ｃｔｒｌ）キー、及び、上下左右の方向キー、ページアップ（ＰｇＵｐ）キー、ページダウン（ＰｇＤｎ）キーが配置される。
【００２７】
中段部分キー群Ｋ１１は、最上段キー群Ｋ１０と最下段キー群Ｋ１２とに上下方向（Ｙ方向）で挟まれたキー群であり、上部１段の数字入力キー群Ｋ１３と下部３段の文字入力キー群Ｋ１４とが配置される。数字入力キー群Ｋ１３には、中央に数字キー群Ｋ２０が配置され、右側にバックスペース（Ｂａｃｋｓｐａｃｅ）キーが配置される。数字入力キー群Ｋ１３には、その他、「〜」、「―」、「＋」などの記号キーも配置される。文字入力キー群Ｋ１４には、アルファベットキー群であるクウォーティー（ＱＷＥＲＴＹ）配列キー群Ｋ２１が中央に配置され、左側に上から、タブ（Ｔａｂ）キー、音声入力キー、シフト（Ｓｈｉｆｔ）キーが配置され、右側中央にエンター（Ｅｎｔｅｒ）キー、右側下部にシフト（Ｓｈｉｆｔ）キーが配置される。文字入力キー群Ｋ１４には、その他、各種の記号キーが含まれる。
【００２８】
（伸長キーボード配列）
図２（ｂ）は、ソフトウェアキーボード表示領域Ｅ２に表示されるソフトウェアキーボード１１の伸長キーボード配列の一例を示している。伸長キーボード配列では、最上段キー群Ｋ１０と最下段キー群Ｋ１２とのキーピッチは変更されず、そのままソフトウェアキーボード表示領域Ｅ２に表示される。
【００２９】
中段部分キー群Ｋ１１に対応する中段部分キー群Ｋ１１ａは、標準キーボード配列の中段部分キー群Ｋ１１のキーピッチＫＰ１を伸長したキーピッチＫＰ２としている。中段部分キー群Ｋ１１ａは、数字入力キー群Ｋ１３に対応する数字入力キー群Ｋ１３ａと文字入力キー群Ｋ１４に対応する文字入力キー群Ｋ１４ａとからなる。数字入力キー群Ｋ１３ａでは、キーピッチＫＰ２の伸長に伴い、使用頻度の低い３つの記号キーを非表示とし、使用頻度の高い、１０個の数字キーからなる数字キー群Ｋ２０に対応する１０個の数字キーからなる数字キー群Ｋ２０ａ及びバックスペースキーのみを表示している。文字入力キー群Ｋ１４ａでは、キーピッチＫＰ２の伸長に伴い、使用頻度の低い４つの記号キーを非表示とし、使用頻度の高い、ＱＷＥＲＴＹ配列キー群Ｋ２１に対応するＱＷＥＲＴＹ配列キー群Ｋ２１ａ、Ｔａｂキー、音声入力キー、２つのＳｈｉｆｔキー、４つの記号（「:」、「＜」、「＞」、「？」）キー、Ｅｎｔｅｒキーのみを表示するとともに、後述するポップアップ表示切替キーＫ３０を新たに右端上部に表示する。
【００３０】
例えば、標準キーボード配列では、１５．４ｍｍピッチの８０キー表示であったが、伸長キーボード配列では、１８．５ｍｍピッチの７２キー表示になる。
【００３１】
なお、図２では、キーピッチの伸縮を行う際、標準キーボード配列のうちのＱＷＥＲＴＹ配列キー群Ｋ２１に対するタイピングホームポジションの中央の基準線Ｌ１を基準としている。基準線Ｌ１は、タイピングホームポジションを示す「Ｆ」キーと「Ｊ」キーとを２等分する線であり、「Ｂ」キーの中心を通る線である。そして、基準線Ｌ１から左右にキー配置を拡縮するようにしている。これによって、キーピッチが伸縮しても、タイピングホームポジションが大きく変化しないため、キー入力の操作性の低下を抑えることができる。
【００３２】
なお、ポップアップ表示切替キーＫ３０に替えて、伸長キーボード配列によって非表示となった記号キーの１つまたは２つを表示するようにしてもよい。図２（ｂ）では、ポップアップ表示切替キーＫ３０が「Ｐ」キーの右側に配置されているため、表示される記号キーは、「Ｐ」キーの右側に配置されていた記号キーであることが好ましい。
【００３３】
また、伸長キーボード配列のＳｈｉｆｔキーの幅は、標準キーボード配列のＳｈｉｆｔキーの幅よりも短くしている。すなわち、キーピッチの伸長、短縮に応じて、Ｓｈｉｆｔキーの幅を短縮、伸長している。
【００３４】
（キーピッチ切替指示）
キーピッチ切替指示は、特定キー操作によって行われ、例えば、２つのシフトキーの同時押下操作によって行われる。この場合、２つのシフトキーは、標準キーボード配列及び伸長キーボード配列の双方に表示される必要がある。
【００３５】
なお、キーピッチ切替指示は、特定キーに対する入力、またはソフトウェアキー平面上のジェスチャー入力であってもよい。また、キーピッチ切替指示は、音声入力キーを用いた音声入力によって行うようにしてもよい。さらに、キーピッチ切替指示は、検出されるキーの打鍵速度であり、打鍵速度の増大、減少に応じてキーピッチを縮小、増大させるようにしてもよい。
【００３６】
また、上述した実施の形態では、標準キーボード配列と伸長キーボード配列とを切り替えるものであったが、これに限らず、キーボード表示制御部２１は、キーピッチ切替指示によって、標準キーボード配列と伸長キーボード配列との間でキーピッチを連続的または離散的に切り替えるようにしてもよい。
【００３７】
（ポップアップ表示切替キー）
本実施の形態では、さらに、伸長キーボード配列にポップアップ表示切替キーＫ３０が新たに表示される。キーボード表示制御部２１は、ポップアップ表示切替キーＫ３０が選択指示された場合、伸長キーボード配列表示時に非表示となった記号キーなどのキーをポップアップ表示する。ポップアップ表示されるキー群は、標準キーボード配列の相対位置関係を維持した状態で表示される。なお、ポップアップ表示された状態でポップアップ表示切替キーＫ３０がさらに選択指示されると、ポップアップ表示が非表示となる。
【００３８】
例えば、図３（ｂ）において、伸長キーボード配列に表示されたポップアップ表示切替キーＫ３０を押下すると、図３（ｃ）に示したポップアップ表示枠ＰＵがポップアップ表示切替キーＫ３０の吹き出し枠として表示される。ポップアップ表示枠ＰＵ内には、伸長キーボード配列表示時に非表示となった記号キー群Ｋ２２である、「―」キー、「＋」キー、「｛」キー、「｝」キー、「｜」キー、「″」キーが記号キー群Ｋ２２ａとして、Ｂａｃｋｓｐａｃｅキー、Ｅｎｔｅｒキー、「：」キーとともに、標準キーボード配列の相対位置関係を維持した状態で表示される。これにより、非表示となったキー群を迅速に表示できるとともに、ポップアップ表示されたキー群が標準キーボード配列の相対位置関係を維持しているので、迅速に所望のキーを見い出すことができ、キー入力の操作性の低下を抑えることができる。
【００３９】
（キーボード表示制御処理）
ここで、図４に示したフローチャートを参照して、キーボード表示制御部２１によるキーボード表示制御処理手順について説明する。図４に示すように、キーボード表示制御部２１は、まず、例えば、ソフトウェアキーボード表示アイコンＩ１の押下による、ソフトウェアキーボード１１の表示指示があったか否かを判断する（ステップＳ１０１）。ソフトウェアキーボード１１の表示指示がない場合（ステップＳ１０１，Ｎｏ）には、ステップＳ１０１の判断処理を繰り返す。
【００４０】
一方、ソフトウェアキーボード１１の表示指示があった場合（ステップＳ１０１，Ｙｅｓ）には、図３（ａ）に示すように、ソフトウェアキーボード表示領域Ｅ２の全面に標準キーボード配列を表示する（ステップＳ１０２）。
【００４１】
その後、キーピッチ切替指示があったか否かを判断する（ステップＳ１０３）。このキーピッチ切替指示は、例えば、上述したように、２つのシフトキーの同時押下操作である。キーピッチ切替指示がない場合（ステップＳ１０３，Ｎｏ）には、さらにソフトウェアキーボード１１の非表示指示があったか否かを判断する（ステップＳ１１１）。このソフトウェアキーボード１１の非表示指示は、ソフトウェアキーボード表示アイコンＩ１の押下であってもよいし、ソフトウェアキーボード表示領域Ｅ２内の右上に表示された図示しない「×」アイコンの押下などであってもよい。ソフトウェアキーボード１１の非表示指示がない場合（ステップＳ１１１，Ｎｏ）には、ステップＳ１０２に移行して標準キーボード配列の表示を維持する。一方、ソフトウェアキーボード１１の非表示指示があった場合（ステップＳ１１１，Ｙｅｓ）には、ソフトウェアキーボード１１を非表示にし、本処理を終了する。
【００４２】
一方、キーピッチ切替指示があった場合（ステップＳ１０３，Ｙｅｓ）には、図３（ｂ）に示すように、中段部分キー群Ｋ１１のキーピッチを伸長し、ポップアップ表示切替キーＫ３０を加えた伸長キーボード配列を表示する（ステップＳ１０４）。
【００４３】
その後、ポップアップ表示切替キーＫ３０の選択指示があったか否かを判断する（ステップＳ１０５）。ポップアップ表示切替キーＫ３０の選択指示があった場合（ステップＳ１０５，Ｙｅｓ）には、伸長キーボード配列で非表示となった非表示キーである記号キー群Ｋ２２ａを含めてポップアップ表示する（ステップＳ１０６）。その後、さらに、ポップアップ表示切替キーＫ３０の選択指示があったか否かを判断する（ステップＳ１０７）。ポップアップ表示切替キーＫ３０の選択指示があった場合（ステップＳ１０７，Ｙｅｓ）には、ポップアップ表示を非表示にし（ステップＳ１０８）、ステップＳ１０９に移行する。一方、ポップアップ表示切替キーＫ３０の選択指示がない場合（ステップＳ１０５，Ｎｏ、及び、ステップＳ１０７，Ｎｏ）、ステップＳ１０９に移行する。
【００４４】
ステップＳ１０９では、キーピッチ切替指示があったか否かを判断する。キーピッチ切替指示があった場合（ステップＳ１０９，Ｙｅｓ）には、ステップＳ１０２に移行して標準キーボード配列を表示し、上述した処理を繰り返す。一方、キーピッチ切替指示がない場合（ステップＳ１０９，Ｎｏ）には、さらに、ソフトウェアキーボード１１の非表示指示があったか否かを判断する（ステップＳ１１０）。ソフトウェアキーボード１１の非表示指示がない場合（ステップＳ１１０，Ｎｏ）には、ステップＳ１０５に移行して伸長キーボード配列の表示を維持する。一方、ソフトウェアキーボード１１の非表示指示があった場合（ステップＳ１１０，Ｙｅｓ）には、ソフトウェアキーボード１１を非表示にし、本処理を終了する。
【００４５】
なお、上述した標準キーボード配列の文字入力キー群Ｋ１４では、ＱＷＥＲＴＹ配列キー群Ｋ２１を採用していたが、フランス語圏で用いられるＡＺＥＲＴＹ配列、ドイツ語圏やチェコ語圏で用いられるＱＷＥＲＴＺ配列などを採用してもよい。また、日本語、韓国語、中国語などのように、ＱＷＥＲＴＹ配列上のアルファベットキーに、母語の構造に適応する配列を上乗せし切替使用するキー配列であってもよい。いずれにしても、本実施の形態では、１つの標準キーボード配列のみを用い、この標準キーボード配列の一部、例えば、中段部分キー群Ｋ１１のキーピッチを伸縮させるものである。
【００４６】
本実施の形態では、中段部分キー群Ｋ１１のキーピッチが伸縮するのみで、標準キーボード配列と伸長キーボード配列とにおける各キーの相対位置関係は維持されるため、キー入力するユーザはソフトウェアキーボードの変更に対する違和感を感じない。また、各キーの相対位置関係が維持されるため、キー入力の操作性も低下することがない。さらに、使用頻度の高い中段部分キー群Ｋ１１、特にＱＷＥＲＴＹ配列キー群Ｋ２１と数字入力キー群Ｋ２０のキーピッチを伸縮しているのでキー入力時の違和感がなく、ユーザに適合したキー入力操作を行うことができるので操作性を向上させることができる。
【００４７】
なお、上述した実施の形態では電子機器としてタブレットを例示したが、これに限らず、例えば、図５に示すようにノートＰＣ１０１にも適用することができる。図５に示すように、ノートＰＣ１０１は、筐体１０２と筐体１０３とがヒンジ１０４によって折り畳み可能である。筐体１０２，１０３には、それぞれタッチスクリーン１０５，１０６が設けられる。すなわち、ノートＰＣ１０１は、２画面のタッチスクリーン１０５，１０６を有する。図１に示したソフトウェアキーボード１１に対応するソフトウェアキーボード１０７は、平置きされた筐体１０３のタッチスクリーン１０６上に表示される。このソフトウェアキーボード１０７に対するキーボード表示制御処理は、キーボード表示制御部２１と同様な処理が行われる。
【００４８】
また、上述した実施の形態では、標準キーボード配列を最初に表示するようにしていたが、これに限らず、最初に伸長キーボード配列を表示するようにしてもよい。すなわち、ユーザにとって最も使い勝手のよいキーピッチをもつキーボード配列を最初に表示するようにカスタマイズしてもよい。
【符号の説明】
【００４９】
１  電子機器
１０，１０５，１０６  タッチスクリーン
１１，１０７  ソフトウェアキーボード
２０  制御部
２１  キーボード表示制御部
２２  記憶部
２３  外部入出力インターフェース
１０２，１０３  筐体
１０４  ヒンジ
Ｅ１  表示領域
Ｅ２  ソフトウェアキーボード表示領域
Ｉ１  ソフトウェアキーボード表示アイコン
Ｋ１０  最上段キー群
Ｋ１１，Ｋ１１ａ  中段部分キー群
Ｋ１２  最下段キー群
Ｋ１３，Ｋ１３ａ  数字入力キー群
Ｋ１４，Ｋ１４ａ  文字入力キー群
Ｋ２０，Ｋ２０ａ  数字キー群
Ｋ２１，Ｋ２１ａ  ＱＷＥＲＴＹ配列キー群
Ｋ２２，Ｋ２２ａ  記号キー群
Ｋ３０  ポップアップ表示切替キー
ＫＰ１，ＫＰ２  キーピッチ
Ｌ１  基準線
１０１  ノートＰＣ
ＰＵ  ポップアップ表示枠
Ｔ１  タッチパッド
【図１】
2018106470.tif 000003
【図２】
2018106470.tif 000004
【図３】
2018106470.tif 000005
【図４】
2018106470.tif 000006
【図５】
2018106470.tif 000007